(57)【要約】  本発明は、ノズルであって圧力が設定された飽和塩溶液を前記ノズルに供給するための供給機構と、内部における飽和塩溶液を冷却し且つ飽和塩溶液から微細結晶粒を析出させるための冷却機構とに接続され、レーザビームを発生するためのレーザ発生機構に接続される鏡筒にも接続されるノズルと、ワークを固定し、及びノズルから噴射された飽和塩溶液を回収するためのボックスと、を含むレーザと噴射液体からなるビームに基づく自己発生型砥粒フローによる複合加工装置及び方法に関する。本発明の加工装置はワークの加工品質を効果的に改善することができる。【選択図】図１
2021523833.tif 000002
【特許請求の範囲】
【請求項１】
圧力が設定された飽和塩溶液を供給するための供給機構と、内部における飽和塩溶液を冷却し且つ飽和塩溶液から微細結晶粒を析出させるための冷却機構とに接続され、ワークの表面に対して衝撃及び研削が行われるように微細結晶粒を飽和塩溶液と共に噴射するノズルであって、さらにレーザビームを発生するためのレーザ発生機構が接続される鏡筒に接続されるノズルと、
ワークを固定するとともにノズルから噴射された飽和塩溶液を回収するための作業ボックスと、を含む、レーザと噴射液体からなるビームに基づく自己発生型砥粒フローによる複合加工装置。
【請求項２】
前記供給機構は、飽和塩溶液を収容するための貯液ボックスを含み、
前記貯液ボックスは、駆動ポンプが接続される第１管路を介してノズルに接続され、
駆動ポンプは、貯液ボックスの内部における飽和塩溶液をノズルにポンプ注入するように駆動することを特徴とする請求項１に記載のレーザと噴射液体からなるビームに基づく自己発生型砥粒フローによる複合加工装置。
【請求項３】
前記貯液ボックスは、内部に加熱装置を有し、第１管路との接続位置に濾過網が設けられることを特徴とする請求項２に記載のレーザと噴射液体からなるビームに基づく自己発生型砥粒フローによる複合加工装置。
【請求項４】
前記貯液ボックスは、第２管路を介して作業ボックスに接続されることを特徴とする請求項２に記載のレーザと噴射液体からなるビームに基づく自己発生型砥粒フローによる複合加工装置。
【請求項５】
前記冷却機構は、ノズルの外周面に嵌着して固定される冷却ジャケットを含み、
前記冷却ジャケットは、管壁内に冷却チャンバーを有し、
前記冷却チャンバーは、第１冷却管及び第２冷却管に連通し、
前記第１冷却管及び第２冷却管は、コンプレッサーに接続されることを特徴とする請求項１に記載のレーザと噴射液体からなるビームに基づく自己発生型砥粒フローによる複合加工装置。
【請求項６】
前記レーザ発生機構は、光ファイバケーブルを介して鏡筒に接続されるレーザ装置であることを特徴とする請求項１に記載のレーザと噴射液体からなるビームに基づく自己発生型砥粒フローによる複合加工装置。
【請求項７】
前記ノズルと鏡筒との間には、透明密閉型レンズが設けられ、
前記鏡筒内には、レーザビームをノズルに案内するための反射鏡が設けられ、
反射鏡と透明密閉型レンズとの間には、鏡筒に固定して接続されるコリメータレンズ及びフォーカシングレンズが設けられ、
前記コリメータレンズは、反射鏡に近接して取り付けられることを特徴とする請求項１に記載のレーザと噴射液体からなるビームに基づく自己発生型砥粒フローによる複合加工装置。
【請求項８】
前記ノズル及び鏡筒は、縦方向に配置され、且つ縦方向駆動機構に接続され、
前記縦方向駆動機構は、ノズル及び鏡筒を縦方向に沿って移動させるように駆動し、
前記作業ボックスは、ノズルの下方に位置し、回転機構アセンブリに接続され、
前記回転機構アセンブリは、２軸連動機構に接続され、
前記２軸連動機構は、回転機構及び作業ボックスを水平面内で互いに直交する第１方向及び第２方向に沿って移動させるように駆動し、
前記回転機構アセンブリは、作業ボックスを縦方向及び第１方向の周りに回転させるように駆動することを特徴とする請求項６に記載のレーザと噴射液体からなるビームに基づく自己発生型砥粒フローによる複合加工装置。
【請求項９】
前記回転機構アセンブリは、第１回転機構及び第２回転機構を含み、
前記第１回転機構は、作業ボックスに接続され、作業ボックスを縦方向の周りに回転させるように駆動するためのものであり、
前記第２回転機構は、第１回転機構に接続され、作業ボックスを第１方向の周りに回転させるように駆動するためのものであることを特徴とする請求項８に記載のレーザと噴射液体からなるビームに基づく自己発生型砥粒フローによる複合加工装置。
【請求項１０】
請求項７に記載のレーザと噴射液体からなるビームに基づく自己発生型砥粒フローによる複合加工装置を用いてワークを加工する複合加工方法であって、
レーザ発生機構から発生されたレーザビームを、反射鏡によりノズルに案内してノズルから射出させることで、ワークをレーザ加工すると同時に、
圧力が設定された飽和塩溶液を、供給機構によりノズルに供給してノズルから噴射させ、
ノズルの内部における飽和塩溶液を冷却機構により冷却し、飽和塩溶液から微細結晶粒を析出させ、
析出された微細結晶粒を飽和塩溶液と共に噴射することで、ワーク表面に対して衝撃及び研削が行われる、ことを特徴とする複合加工方法。
【発明の詳細な説明】
【技術分野】
【０００１】
本発明は機械加工設備の技術分野に関し、具体的にレーザと噴射液体からなるビームに基づく自己発生型砥粒フローによる複合加工装置及び方法に関する。
【背景技術】
【０００２】
中国のレーザ産業の継続的な発展に伴い、製造においては、レーザ加工したワークの精度及び粗さに対してより高い要件を求めている。従来のレーザ加工は、熱加工に属し、即ち、レーザの高温により加工材料の表面を溶融して気化させることで、材料を除去する目的を達成する。しかし、発明者らは、いつもレーザ加工領域に溶融物の堆積に伴って再鋳層を生成し、加工による粗さを大きくすること、及び、レーザ加工（例えば穿孔）による孔壁の粗さは一般に大きく、且つ孔径は不規則であることに、気付いた。
【発明の概要】
【発明が解決しようとする課題】
【０００３】
本発明は、上記従来の技術の欠陥を克服するために、レーザ加工した材料の表面上の再鋳層を除去し、粗さを低減してワークの加工品質を改善することができる、レーザと噴射液体からなるビームに基づく自己発生型砥粒フローによる複合加工装置を提供することを目的とする。
【課題を解決するための手段】
【０００４】
本発明は、上記目的を達成するために、以下の技術案を採用する。
圧力が設定された飽和塩溶液を供給するための供給機構と、内部における飽和塩溶液を冷却し且つ飽和塩溶液から微細結晶粒を析出させるための冷却機構とに接続され、ワークの表面に対して衝撃及び研削が行われるように微細結晶粒を飽和塩溶液と共に噴射するノズルであって、さらにレーザビームを発生するためのレーザ発生機構が接続される鏡筒に接続されるノズルと、
ワークを固定するとともにノズルから噴射された飽和塩溶液を回収するための作業ボックスと、を含む、レーザと噴射液体からなるビームに基づく自己発生型砥粒フローによる複合加工装置。
【０００５】
本発明の作動原理は以下のとおりである。
圧力が設定された飽和塩溶液を、供給機構によりノズルの内部に供給し、且つノズルから噴射し、レーザ発生機構により発生されたレーザビームは、反射鏡でノズルに案内され、且つノズルから射出されてワークをレーザ加工し、同時に、前記冷却機構はノズルの内部における飽和塩溶液を冷却して微細結晶粒を析出させて飽和塩溶液と共に噴射し、ワーク表面に対して衝撃及び研削を行うことができる。
【０００６】
本発明の有益な効果は以下のとおりである。
本発明に係る加工装置によれば、レーザ加工を行うと同時に、冷却機構を使用して飽和塩溶液から微細結晶粒を析出させて飽和塩溶液と共に噴射して、ワークに対して研削及び衝撃を行うことができる。これにより、ワークのレーザ加工による再鋳層を効果的に除去し、且つワークの表面粗さを低減してワークの加工品質を向上することができる。
【０００７】
本出願の一部を構成する図面は、本出願のさらなる理解を提供するためのものであり、本出願の例示的な実施例及びその説明は、本出願を解釈するためのものであり、本出願を限定するものではない。
【図面の簡単な説明】
【０００８】
【図１】図１は、本発明における実施例１の全体構造模式図である。
【図２】図２は、本発明における実施例１のノズルと鏡筒の組み立てを示す模式図である。
【図３】図３は、本発明における実施例１の冷却ジャケットの断面模式図である。
【図４】図４は、本発明における実施例１のノズルと鏡筒の内部を示す模式図である。
【図５】図５は、本発明における実施例１の縦方向駆動機構、２軸連動機構及び回転機構アセンブリの組み立てを示す模式図である。
【図６】図６は、本発明における実施例１で構成される加工専用領域の構造模式図である。
【発明を実施するための形態】
【０００９】
なお、以下の詳細な説明は、本出願のさらなる説明を提供するための例示的なものである。特に明記しない限り、本明細書で使用される技術用語および科学用語は、すべて当業者が一般に理解するものと同じ意味を有する。
【００１０】
なお、本明細書で使用される用語は、具体的な実施形態を説明するためのものに過ぎず、本出願による例示的な実施形態を限定することを意図するものではない。文脈で特に指示しない限り、本明細書で使用される単数形式は複数形式を含むことも意図し、さらに、理解されるべき点として、本明細書で「包含」および／または「含む」なる用語を使用することは、特徴、ステップ、操作、デバイス、アセンブリ、および／またはそれらの組合せを意味する。
【００１１】
本発明において「上」、「下」、「左」、「右」という文字を使用することは、便宜上、図面自体における上、下、左、右の方向と一致することを示すだけであり、構造を限定するものではなく、本発明を説明しやすいことのみを目的としており、指定された設備または素子は必ず特定の方位を有し、特定の方位で構成されて操作されることを指示又は示唆するものではないため、本発明を限定するものと理解すべきではない。
【００１２】
背景技術で説明したように、従来のレーザ加工で加工を行う際、ワーク表面に再鋳層を生成し、且つ加工したワークの表面粗さが高い。本出願は、上記問題に対して、ノズルであって圧力が設定された飽和塩溶液を前記ノズルに供給するための供給機構と、内部における飽和塩溶液を冷却し且つ飽和塩溶液から微細結晶粒を析出させるための冷却機構とに接続され、微細結晶粒を飽和塩溶液と共に噴射して、ワークの表面に対して衝撃及び研削を行い、レーザビームを発生するためのレーザ発生機構に接続される鏡筒に接続されるノズルと、ワークを固定し、及びノズルから噴射された飽和塩溶液を回収するための作業ボックスと、を含むレーザと噴射液体からなるビームに基づく自己発生型砥粒フローによる複合加工装置を提供する。
【００１３】
さらに、前記供給機構は、飽和塩溶液を収容するための貯液ボックスを含み、前記貯液ボックスは、駆動ポンプが接続される第１管路を介してノズルに接続され、駆動ポンプは、貯液ボックスの内部における飽和塩溶液をノズルにポンプ注入するように駆動することができる。
【００１４】
さらに、前記貯液ボックスの内部には加熱装置を有し、前記貯液ボックスと第１管路との接続位置に濾過網が設けられる。
【００１５】
さらに、前記貯液ボックスは、第２管路を介して作業ボックスに接続される。
【００１６】
さらに、前記冷却機構は、ノズルの外周面に嵌着して固定される冷却ジャケットを含み、前記冷却ジャケットの管壁の内部に冷却チャンバーを有し、前記冷却チャンバーは第１冷却管及び第２冷却管に連通し、前記第１冷却管及び第２冷却管はコンプレッサーに接続される。
【００１７】
さらに、前記レーザ発生機構は、光ファイバケーブルを介して鏡筒に接続されるレーザ装置である。
【００１８】
さらに、前記ノズルと鏡筒との間に透明密閉型レンズが設けられ、前記鏡筒の内部にレーザビームをノズルに案内するための反射鏡が設けられ、反射鏡と透明密閉型レンズとの間に鏡筒に固定して接続されるコリメータレンズ及び集束レンズが設けられ、前記コリメータレンズは反射鏡に近接して取り付けられる。
【００１９】
さらに、前記ノズル及び鏡筒は縦方向に配置され、且つ縦方向駆動機構に接続され、前記縦方向駆動機構はノズル及び鏡筒を縦方向に沿って移動させるように駆動でき、前記作業ボックスはノズルの下方に位置され、作業ボックスは回転機構アセンブリに接続され、前記回転機構アセンブリは２軸連動機構に接続され、前記２軸連動機構は回転機構及び作業ボックスを水平面内で互いに直交する第１方向及び第２方向に沿って移動させるように駆動でき、前記回転機構アセンブリは作業ボックスを縦方向及び第１方向の周りに回転させるように駆動することができる。
【００２０】
さらに、前記回転機構アセンブリは第１回転機構及び第２回転機構を含み、前記第１回転機構は作業ボックスに接続され、作業ボックスを縦方向の周りに回転させるように駆動するためのものであり、前記第２回転機構は第１回転機構に接続され、作業ボックスを第１方向の周りに回転させるように駆動するためのものである。
【００２１】
本実施例は、さらに、レーザ発生機構により発生されたレーザビームは、反射鏡でノズルに案内され、且つノズルから射出されてワークをレーザ加工し、同時に、圧力が設定された飽和塩溶液を供給機構によりノズルに供給し、且つノズルから噴射し、冷却機構はノズルの内部における飽和塩溶液を冷却し、飽和塩溶液から微細結晶粒を析出させて飽和塩溶液と共に噴射して、ワーク表面に対して衝撃及び研削を行う、レーザと噴射液体からなるビームに基づく自己発生型砥粒フローによる複合加工装置を使用する方法を開示する。
【００２２】
以下、図面を参照しながら、本実施例については詳細に説明する。
【００２３】
＜実施例１＞
図１−６に示すように、レーザと噴射液体からなるビームに基づく自己発生型砥粒フローによる複合加工装置は、縦方向に配置されたノズル１を含み、前記ノズルの底部に飽和塩溶液及びレーザビームを射出するための噴射口が設けられ、前記ノズルの上部に鏡筒２が接続され、前記ノズルの下方に作業ボックス３が設けられ、前記作業ボックスの内部にワークをクランプするためのワーククランプ機構が設けられるとともに、作業ボックスは、ノズルから噴射された飽和塩溶液を回収することができ、前記ワーククランプ機構は、ワークの形状に合わせて従来のワーククランプ機構から選択すればよく、その具体的な構造については、ここで詳細の説明を省略する。
【００２４】
前記ノズルは、圧力が設定された飽和塩溶液をノズルに供給するための供給機構に接続され、前記供給機構は、飽和塩溶液を貯留するための貯液ボックス４を含み、前記貯液ボックスは、ノズルの内部スペースに連通する第１管路５を介してノズルの側壁に接続され、前記第１管路に駆動ポンプ６が接続され、前記駆動ポンプは、貯液ボックスの内部における飽和塩溶液をノズルの内部スペースにポンプ注入させ、且つノズルから噴射するように駆動することができる。また、前記貯液ボックスは、第２管路７を介して作業ボックスに接続され、飽和塩溶液の再利用を可能とする。
【００２５】
前記貯液ボックスの内部に、貯液ボックスの内部における飽和塩溶液の温度を制御するための加熱装置が設けられ、前記貯液ボックスと第１管路との接続位置に濾過網が設けられ、濾過網は、溶液中の不純物及び析出した結晶粒子が駆動ポンプに混入して駆動ポンプの作動への障害を防ぐことができる。
【００２６】
また、前記ノズルは冷却機構に接続され、前記冷却機構はノズルの内部における飽和塩溶液を冷却して飽和塩溶液から微細結晶粒子を析出させるためのものであり、前記冷却機構はノズル側壁の外表面に嵌着して固定される冷却ジャケット８を含み、前記冷却ジャケットの管壁の内部に冷却チャンバー８−１が開設され、前記冷却チャンバーは第１冷却管９及び第２冷却管１０に連通し、前記第１冷却管は第２冷却管の上方に設置され、前記第１冷却管及び第２冷却管はコンプレッサー１１に接続され、冷却剤は、第１冷却管を介して冷却チャンバーに流入するように前記コンプレッサーにより駆動され、ノズルの内部における飽和塩溶液と熱交換し、飽和塩溶液を冷却する。熱交換で気化した冷却剤を、第２冷却管を介してコンプレッサーに還流することができる。
【００２７】
前記鏡筒は、下端がノズルに固定して接続され、先端が反射鏡フレーム１２を介して反射鏡１３に接続され、反射鏡と水平面との挟角は４５°であり、前記反射鏡の下方にコリメータレンズ１４が設けられ、コリメータレンズの下方に集束レンズ１５が設けられ、コリメータレンズ及び集束レンズはいずれも鏡筒の筒壁の内側面に固定して接続され、前記鏡筒とノズルとの接続位置に透明密閉型レンズ１６が設けられ、前記透明密閉型レンズは、飽和塩溶液が鏡筒に浸入してコリメータレンズ及び集束レンズを汚染することを防ぐためのものである。
【００２８】
前記鏡筒はレーザ発生機構に接続され、前記レーザ発生機構はレーザ装置１７を使用し、前記レーザ装置は光ファイバケーブル１８を介して鏡筒に接続され、前記光ファイバケーブルの、鏡筒と接続する部分は水平に設置され、レーザ装置はレーザビームを発生することができ、レーザビームは光ファイバケーブルを介して鏡筒内部に入射し、レーザ光線は反射鏡で反射されてから、順にコリメータレンズ、集束レンズ、透明密閉型レンズを介してノズルに入射し、且つノズルから射出し、ワークをレーザ加工する。
【００２９】
前記鏡筒及びノズルはＬ字状の接続板１９を介して縦方向駆動機構に接続され、前記縦方向駆動機構は縦方向支持板２０を含み、前記縦方向支持板は作業台２１に固定され、前記縦方向支持板の先端に第１サーボモータ２２が固定され、前記第１サーボモータの出力軸は縦方向支持板に固定された第１ねじ伝動機構２３に接続され、第１ねじ伝動機構の第１スライダ２４は接続板に固定して接続され、第１スライダは縦方向支持板に設置されるスライドレール２５に摺接され、第１サーボモータはねじの伝動により、鏡筒及びノズルを縦方向に沿って移動させるように駆動することができる。
【００３０】
前記作業ボックスは回転機構アセンブリに接続され、前記回転機構アセンブリは２軸連動機構に接続され、前記２軸連動機構は作業ボックス及び回転機構アセンブリを水平面内で互いに直交する第１方向及び第２方向に沿って移動させるように駆動することができる。
【００３１】
前記２軸連動機構は作業台に固定される第２サーボモータ２６を含み、前記第２サーボモータの出力軸に、第２方向に沿って配置される第２ねじ伝動機構が接続され、前記第２ねじ伝動機構の第２スライダに水平支持板２７が接続され、前記水平支持板に第３サーボモータ２８が固定され、前記第３サーボモータの出力軸に、第１方向に沿って配置される第３ねじ伝動機構が接続され、前記第３ねじ伝動機構の第３スライダに回転機構アセンブリが接続される。
【００３２】
前記回転機構アセンブリは第１回転機構及び第２回転機構を含み、前記第１回転機構は第３スライダに固定された回転支持フレーム２９を含み、前記回転支持フレームの両端に第４サーボモータ３６が固定され、前記第４サーボモータの出力軸は回転板３０に接続され、前記第２回転アセンブリは回転板に固定され、前記第２回転アセンブリは第５サーボモータ３１を使用し、前記第５サーボモータの出力軸は作業ボックスに固定して接続され、前記第４サーボモータは回転板及び作業ボックスを第１方向の周りに回転させるように駆動することができ、第５サーボモータは作業ボックスを縦方向の周りに回転させるように駆動することができる。
【００３３】
本実施例において、２軸連動機構、縦方向駆動機構、貯液ボックス、コンプレッサー、レーザ装置、駆動ポンプ等の構造はいずれも作業台に固定され、前記２軸連動機構、縦方向駆動機構、駆動ポンプ、コンプレッサー、レーザ装置、加熱装置等はいずれもその作動を制御するデジタル制御システムに接続さる。
【００３４】
本実施例の加工装置はハウジング３２の内部に固定され、前記ハウジングにスライド窓３３が設けられ、ハウジングにロッカーアーム３４が設けられ、ロッカーアームにデジタル制御システム３５が設けられ、加工専用領域を構成し、加工領域からの外部へのスパッタリングおよび操作者の怪我を効果的に防止することができる。次に、レーザ加工には清潔な環境が必要であり、スライド窓及びハウジングを設けることで、外部の粉塵が鏡筒における各種のレンズを汚染することを効果的に防ぐことができる。前記ハウジングは、スライド窓とロッカーアーム即ちデジタル制御システムとの接続態様は従来のデジタル制御旋盤の外部ハウジング構造の接続態様を採用すればいいため、ここで詳細の説明を省略する。
【００３５】
本実施例は、レーザと噴射液体からなるビームに基づく自己発生型砥粒フローによる複合加工装置の加工方法をさらに開示する。
【００３６】
例えば塩化ナトリウム飽和溶液等の飽和塩溶液を貯液ボックスに予め貯留し、当業者は実際の必要に応じて飽和塩溶液を適切に選択することができ、ここで詳細の説明を省略する。加熱装置を起動させて、飽和塩溶液を設定された温度に維持する。
【００３７】
加工対象のワークを作業ボックス内に固定し、レーザ装置、コンプレッサー及び駆動ポンプを起動させる。レーザビームは、レーザ装置により発生され、反射鏡で反射されてから、コリメータレンズ、集束レンズ及び透明密閉型レンズを通過してノズルに入射し、且つノズルから射出し、ワークをレーザ加工する。同時に、圧力が設定された飽和塩溶液は、貯液ボックスからノズルに流入し、且つノズルから噴射されるように駆動ポンプにより駆動される。冷却剤は、冷却チャンバーに流入するようにコンプレッサーにより駆動され、飽和塩溶液と熱交換することで、飽和塩溶液から微細結晶粒を析出させ、飽和塩溶液と共に噴射され、ワークに対して研削及び衝撃を行う。それによって、レーザ加工による再鋳造層を除去し、ワークの表面粗さを低減する。ノズル及び鏡筒は縦方向駆動機構を介して昇降動作することができると同時に、作業ボックスは２軸連動機構及び回転機構アセンブリを介してワークの位置を変更することができ、ワークの各位置に対する加工を実現する。
【００３８】
本実施例の加工装置によれば、レーザ加工による再鋳造層を効果的に除去し、ワークの表面粗さを低減してワークの加工品質を向上することができる。
【００３９】
上記では、図面を参照しながら本発明の具体的な実施形態については説明したが、本発明の保護範囲を制限するものではなく、当業者にとって、本発明に基づいて、創造的な努力を必要とせずに想到し得る各種の修正または変形も本発明の保護範囲に属する。
【符号の説明】
【００４０】
１：ノズル
２：鏡筒
３：作業ボックス
４：貯液ボックス
５：第１管路
６：駆動ポンプ
７：第２管路
８：冷却ジャケット
８−１：冷却チャンバー
９：第１冷却管
１０：第２冷却管
１１：コンプレッサー
１２：反射鏡フレーム
１３：反射鏡
１４：コリメータレンズ
１５：集束レンズ
１６：透明密閉型レンズ
１７：レーザ装置
１８：光ファイバケーブル
１９：接続板
２０：縦方向支持板
２１：作業台
２２：第１サーボモータ
２３：第１ねじ伝動機構
２４：第１スライダ
２５：スライドレール
２６：第２サーボモータ
２７：水平支持板
２８：第３サーボモータ
２９：回転支持フレーム
３０：回転板
３１：第５サーボモータ
３２：ハウジング
３３：スライド窓
３４：ロッカーアーム
３５：デジタル制御システム
３６：第４サーボモータ
【図１】
2021523833.tif 000003
【図２】
2021523833.tif 000004
【図３】
2021523833.tif 000005
【図４】
2021523833.tif 000006
【図５】
2021523833.tif 000007
【図６】
2021523833.tif 000008
【国際調査報告】
2021523833.tif 000009
2021523833.tif 000010
2021523833.tif 000011
2021523833.tif 000012
2021523833.tif 000013